(57)【要約】【課題】  人体に刺入した感覚に近い注射手技練習具を提供する。【解決手段】弾性チューブからなる模擬血管３０が、中間層２０上に一部が係合されて支持され、好ましくは、その一端及び他端を係合して支持され、中間層２０とは別部材からなるカバー層４０により被覆されている。すなわち、模擬血管３０は、一部のみが係合され、しかも、中間層２０とカバー層４０との間でサンドイッチされているだけであるため、注射針の刺入時の力によって、ぶれるような動きを生じやすい。従って、実際に人体の血管に刺入した感覚に極めて近い感覚が得られ、注射手技の練習に適している。【選択図】    図１
2015176073.tif 000002
【特許請求の範囲】
【請求項１】
人体に装着される、注射針の突き抜け防止部を備えたベース層と、
弾性素材からなり、前記突き抜け防止部上に積層される中間層と、
前記中間層上で、一部が係合されて支持される弾性チューブからなる模擬血管と、
前記模擬血管を被覆するカバー層と
を有することを特徴とする注射手技練習具。
【請求項２】
前記模擬血管は、その一端及び他端を係合して支持される請求項１記載の注射手技練習具。
【請求項３】
前記模擬血管は、前記中間層上における配置角度を調整可能である請求項１又は２記載の注射手技練習具。
【請求項４】
前記中間層に、前記模擬血管の一端及び他端を係合する係合部が、それぞれ複数設けられており、
前記模擬血管の一端及び他端を、前記複数の係合部の中からそれぞれ選択して係合することにより、前記模擬血管の配置角度を調整可能である請求項３記載の注射手技練習具。
【請求項５】
前記模擬血管を複数備えており、それぞれを、前記複数の係合部の中から選択して複数一緒に配置可能である請求項４記載の注射手技練習具。
【請求項６】
前記カバー層による前記模擬血管の押し付け力を調整可能である請求項１〜５のいずれか１に記載の注射手技練習具。
【請求項７】
前記ベース層は、前記突き抜け防止部に隣接して巻き付け部を有し、前記巻き付け部を人体に巻き付けて固定されるものである請求項１〜６のいずれか１に記載の注射手技練習具。
【請求項８】
前記突き抜け防止部に、アラミド繊維を用いた布帛又は金属製薄板のいずれか少なくとも１種が用いられている請求項１〜７のいずれか１に記載の注射手技練習具。
【請求項９】
前記ベース層、中間層、模擬血管及びカバー層がそれぞれ別部材から形成され、相互に一体化又は分解可能な組立式である請求項１〜８のいずれか１に記載の注射手技練習具。
【発明の詳細な説明】
【技術分野】
【０００１】
本発明は、注射手技練習具に関し、特に、採血、静脈注射（輸液も含む）の手技の教育、練習に適する注射手技練習具に関する。
【背景技術】
【０００２】
人体あるいは人体モデルの腕などに装着して、採血や静脈注射の手技を練習する装着型練習具として、特許文献１に示されたものが知られている。すなわち、人体の皮膚を模擬した軟質の薄皮状部材と、この薄皮状部材の下側に配置される皮下組織若しくは筋肉組織を模擬した軟質の肉厚部材とからなり、この肉厚部材に血管を模擬した細管状部材を埋設した構造である。細管状部材に模擬血液を流通させる場合は、細管状部材をループ状にし、該細管状部材の各端部を、装着型練習具の外部に配備した模擬血液貯留容器に連結して模擬血液を流通させる。また、人体に装着する場合に備えて、肉厚部材の下側に、注射針の貫通を防止する保護部材を配置することも開示されている。
【０００３】
特許文献２には、枠体内に、弾性チューブからなる模擬血管を張設し、また、必要に応じて模擬血管の周囲に流動性又は半流動性を有する模擬筋肉層を充填して、注射針の刺入時に血管の動きを再現できるようにした練習具が開示されている。また、枠体をシリコーンゴムから形成することで、腕、脚部等に装着できることも記載されている。
【先行技術文献】
【特許文献】
【０００４】
【特許文献１】実用新案登録第２５４１３３２号公報
【特許文献２】実開平６−４７６８号公報
【発明の概要】
【発明が解決しようとする課題】
【０００５】
特許文献１では、血管を模擬した細管状部材を、筋肉組織を模擬した肉厚部材に埋設している。そのため、注射針の刺入時に血管が逃げるようにぶれる現象が生じにくく、実際の刺入時の感覚とはずれがある。特許文献２では、弾性チューブを張設することで、刺入時の動きが生じやすくし、さらに、模擬血管の周囲に流動性又は半流動性を有する模擬筋肉層を設けることで、その動きがより実際に近いものにしようとしている。しかし、特許文献２では、模擬血管としての弾性チューブを枠体内にどのように配設すると、刺入時の動きが生じやすいか、ということについての具体的な説明は全く開示されていない。確かに、特許文献２には、模擬筋肉層内に弾性チューブを埋設して支持すること開示されている。しかし、この手法の場合、弾性チューブが模擬筋肉層で囲まれてしまうため、特許文献１と同様に、弾性チューブ自体は動きにくい。また、特許文献２の図３及び図４には、模擬筋肉層を用いずに弾性チューブを枠体内に配設することが示されているが、弾性チューブを模擬筋肉層を用いずにどのように枠体内で支持するか、並びに、どのように支持すれば弾性チューブが刺入時に動くかについての具体的な開示がない。
【０００６】
また、特許文献１及び２の練習具は、模擬血管（細管状部材や弾性チューブ）が肉厚部材や枠体に予め一体化された構造である。そのため、練習内容や練習者のレベルに拘わらず、同じ練習具を用いなければならず、練習者のレベル等に見合った練習が行い難い。練習者のレベル等に見合った練習を行うとすれば、模擬血管の太さや、配置数、配置角度等の異なる練習具を、予め複数種類準備しておく必要があり、コストも大きい。
【０００７】
本発明は上記に鑑みなされたものであり、注射針の刺入時における血管が動く感覚と同等の感覚を従来技術よりも、より確実に生じさせることができ、さらに、刺入時の感覚がより人体に刺入した感覚に近い注射手技練習具を提供することを課題とする。また、本発明は、これに加えて、練習者のレベル等に見合った練習を容易にかつ低コストで行うことができる注射手技練習具を提供することを課題とする。
【課題を解決するための手段】
【０００８】
上記課題を解決するため、本発明の注射手技練習具は、人体に装着される、注射針の突き抜け防止部を備えたベース層と、弾性素材からなり、前記突き抜け防止部上に積層される中間層と、前記中間層上で、一部が係合されて支持される弾性チューブからなる模擬血管と、前記模擬血管を被覆するカバー層とを有することを特徴とする。
【０００９】
前記模擬血管は、その一端及び他端を係合して支持されることが好ましい。前記模擬血管は、前記中間層上における配置角度を調整可能であることが好ましい。前記中間層に、前記模擬血管の一端及び他端を係合する係合部が、それぞれ複数設けられており、前記模擬血管の一端及び他端を、前記複数の係合部の中からそれぞれ選択して係合することにより、前記模擬血管の配置角度を調整可能であることが好ましい。前記模擬血管を複数備えており、それぞれを、前記複数の係合部の中から選択して複数一緒に配置可能であることが好ましい。
【００１０】
また、前記カバー層による前記模擬血管の押し付け力を調整可能であることが好ましい。前記ベース層は、前記突き抜け防止部に隣接して巻き付け部を有し、前記巻き付け部を人体に巻き付けて固定されるものであることが好ましい。前記突き抜け防止部に、アラミド繊維を用いた布帛又は金属製薄板のいずれか少なくとも１種が用いられていることが好ましい。前記ベース層、中間層、模擬血管及びカバー層がそれぞれ別部材から形成され、相互に一体化又は分解可能な組立式であることが好ましい。
【発明の効果】
【００１１】
本発明では、弾性チューブからなる模擬血管が、中間層上に一部が係合されて支持され、好ましくは、その一端及び他端を係合して支持され、中間層とは別部材からなるカバー層により被覆されている。すなわち、模擬血管は、一部のみが係合され、しかも、中間層とカバー層との間でサンドイッチされているだけであるため、注射針の刺入時の力によって、ぶれるような動きが生じやすい。従って、実際に人体の血管に刺入した感覚に極めて近い感覚が得られ、注射手技の練習に適している。また、ベース層に注射針の突き抜けを防止する突き抜け防止部を有するため、人体の腕、脚部等に装着した状態でも安心して刺入でき、臨場感のある注射手技の練習を行うことができる。
【００１２】
また、模擬血管の配置角度を調整可能な構成とすることにより、実際の人体の血管の配置（向き）に近い状態とすることが可能となり、その点でさらに臨場感のある注射手技の練習が可能になる。
【００１３】
また、ベース層、中間層、模擬血管及びカバー層がそれぞれ別部材から形成され、相互に一体化又は分解可能な組立式であるため、模擬血管の交換、配置数の変更、配置角度の変更等だけで、練習内容や練習者のレベルに見合った練習が可能である。しかも、注射手技練習具自体を交換する必要がないため、練習者のレベル等に見合った練習を低コストで実現できる。
【図面の簡単な説明】
【００１４】
【図１】図１は、本発明の一の実施形態に係る注射手技練習具の全体構成を示した斜視図である。
【図２】図２はベース層を示した図であり、（ａ）は平面図、（ｂ）は（ａ）のＡ−Ａ断面図である。
【図３】図３は中間層を示した図であり、（ａ）は底面図、（ｂ）は平面図、（ｃ）は（ｂ）のＢ−Ｂ断面図である。
【図４】図４（ａ）〜（ｃ）は、太さの異なる模擬血管の例を示した平面図である。
【図５】図５（ａ）〜（ｄ）は、模擬血管の配置例を示した図である。
【図６】図６はカバー層を示した図であり、（ａ）は底面図、（ｂ）は平面図、（ｃ）は（ｂ）のＣ−Ｃ断面図、（ｄ）は嵌合部材を係合部へ嵌合させる過程を示した図、（ｅ）は嵌合部材が係合部に嵌合した状態を示した図である。
【図７】図７（ａ）〜（ｄ）は、上記実施形態の注射手技練習具の使用方法を説明するための図である。
【図８】図８は、本発明の他の実施形態に係る注射手技練習具の斜視図である。
【図９】図９は、上記他の実施形態に係るベース層を示した図であり、（ａ）は平面図、（ｂ）は側面図である。
【図１０】図１０は、上記他の実施形態に係るカバー層を示した図であり、（ａ）は底面図、（ｂ）は平面図、（ｃ）はカバー層を装着した状態を示した図である。
【発明を実施するための形態】
【００１５】
以下、図面を用いて、本発明の実施形態を説明する。図１に示したように、本実施形態の注射手技練習具１は、ベース層１０、中間層２０、模擬血管３０及びカバー層４０を有して構成される。
【００１６】
ベース層１０は、図２に示したように、装着対象である人体の腕や脚部等に巻き付け固定可能な大きさの略長方形であって、編物、織物、不織布を含む柔軟な布帛等から形成される。例えば、腕に巻き付ける場合には、幅３００ｍｍ、長さ１８０ｍｍ程度の大きさとして、幅方向中央の１００ｍｍの範囲を突き抜け防止部１１とし、その両側を、腕に巻き付け固定するための巻き付け部１２，１３とする。巻き付け部１２，１３は、腕に巻き付けた際に、少なくとも一部が重なるような大きさになっており、その重なり範囲の対向面同士を接合させて固定される。本実施形態では、一方の巻き付け部１２の表面にメス側又はオス側の面ファスナー１２ａを取り付け、他方の巻き付け部１３の裏面に面ファスナー１２ａに係合するオス側又はメス側の面ファスナー１３ａを取り付けて、面ファスナー１２ａ，１３ａ同士を重ね合わせて接合する構成となっている。
【００１７】
ベース層１０は、本実施形態では、２枚の布帛１０ａ，１０ｂを重ね合わせてその周縁部を縫合して形成され、突き抜け防止部１１は、２枚の布帛１０ａ，１０ｂの間に、アルミニウム等の金属製薄板（シート状、フィルム状等も含む）１１ａを挟み、その両側部において、長さ方向に沿って布帛１０ａ，１０ｂを縫合し、該金属製薄板１１ａが左右にずれないようになっている。突き抜け防止部１１は、金属製薄板１１ａを用いるほか、アラミド繊維を編成してなる布帛等を用いて構成することもできる。この場合、金属製薄板１１ａと同様に、布帛１０ａ，１０ｂ間に挟んで保持するようにしてもよいし、アラミド繊維を編成してなる布帛のみによって突き抜け防止部１１を構成し、その両側に通常の布帛からなる巻き付け部１２，１３を直接縫製等により接合した構成としてもよい。
【００１８】
中間層２０は、弾性素材からなる。具体的には、中間層２０上に、後述の模擬血管３０が支持されるため、模擬血管３０に注射針が刺入した際に、模擬血管３０がぶれるような動きを生じさせることができる程度の弾性を有するもので、また、注射針が模擬血管３０を誤って貫通してしまった場合に、実際の血管を注射針が貫通した場合と同様の感覚、すなわち、人の筋肉に相当する程度の弾性を有するものが素材として用いられる。エチレン・プロピレン共重合体、ウレタンゴム、シリコーンゴム等の合成ゴム類、天然ゴム、あるいは、ポリウレタンフォーム等の軟質合成樹脂類などを用いることができる。好ましくは、５〜１５ｍｍ程度の厚さのポリウレタンフォームである。
【００１９】
中間層２０は、図１に示したように、ベース層１０の突き抜け防止部１１上に積層される。突き抜け防止部１１との接合手段は任意であるが、本実施形態では、図２及び図３に示したように、突き抜け防止部１１の表面及び中間層２０の裏面の長さ方向の一端縁及び他端縁付近に、面ファスナー１１ｂ，２０ａを設け、接合するようにしている。なお、面ファスナー１１ｂ，２０ａは、いずれをオス側、メス側としてもよい。
【００２０】
中間層２０の表面側の一端縁及び他端縁には、模擬血管３０を係合するための係合部２１ａ〜２１ｃ及び２２ａ〜２２ｃが設けられている。係合部２１ａ〜２１ｃ及び２２ａ〜２２ｃは、模擬血管３０の一端３０ａ及び他端３０ｂを係合できる限りどのような形状、構造であってもよい。本実施形態では、中間層２０の裏面側から表面側に突出するピンにより構成している。なお、この係合部２１ａ〜２１ｃ及び２２ａ〜２２ｃを構成するピンは、頭部側が中間層２０の裏面に位置しており、面ファスナー２０ａを裏面に固定する際に、面ファスナー２０ａで該頭部を覆うようにすることで中間層２０に固定している（図３（ｃ）参照）。
【００２１】
模擬血管３０は、図４に示したように、一端３０ａ及び他端３０ｂに、ピンからなる上記係合部２１ａ〜２１ｃ及び２２ａ〜２２ｃに係合可能なリング部材やフック部材等からなる被係合部３１，３２が設けられている。一方の被係合部３１を中間層２０の一端縁付近に設けられた係合部２１ａ〜２１ｃのいずれかに係合し、他方の被係合部３２を中間層２０の他端縁付近に設けられた係合部２２ａ〜２２ｃのいずれかに係合して配設される（図５，図７参照）。
【００２２】
ここで、本実施形態では、係合部２１ａ〜２１ｃ及び２２ａ〜２２ｃが中間層２０の幅方向に、それぞれ３つずつ設けられている。従って、例えば、図５（ａ）に示したように、模擬血管３０の一方の被係合部３１を中間層２０の一端縁側の中央に位置する係合部２１ｂに係合し、他方の被係合部３２を、一端側の中央に位置する係合部２１ｂに対応する他端縁側の中央に位置する係合部２２ｂに係合すると、模擬血管３０は、中間層２０の長さ方向にほぼ真っ直ぐな姿勢で配置されることになる。すなわち、模擬血管３０の各被係合部３１，３２を、一端縁側の係合部２１ａ〜２１ｃ及び他端縁２２ａ〜２２ｃのうち対向するもの同士を選択して係合すると、ベース層１０を腕に巻き付けた際に、模擬血管３０は、腕に沿ってほぼ真っ直ぐな姿勢で配置される。中央に位置する係合部２１ｂ，２２ｂ間に係合させた場合には、腕の幅方向ほぼ中央位置で真っ直ぐな姿勢で配置され、各側部に位置する係合部２１ａ，２２ａ間又は係合部２１ｃ，２２ｃ間に係合させた場合には、腕の幅方向の左寄り又は右寄りにおいて、腕の長手方向にほぼ真っ直ぐな姿勢で配置されることになる。
【００２３】
本実施形態では、係合部２１ａ〜２１ｃ及び２２ａ〜２２ｃが中間層２０の幅方向に複数設けられているため、例えば、模擬血管３０の一方の被係合部３１を中間層２０の一端縁側において図の右側に位置する係合部２１ｃに係合し、他方の被係合部３２を、中間層２０の他端縁側において図の左側に位置する係合部２２ａに係合すると、図５（ｂ）に示したように、腕に巻き付けた際に、模擬血管３０は腕側から手首側に向かって右に傾斜した配置角度でセットされることになる。模擬血管３０の一方の被係合部３１を中間層２０の一端縁側において図の左側に位置する係合部２１ａに係合し、他方の被係合部３２を、中間層２０の他端縁側において図の中央に位置する係合部２２ｂに係合すると、図５（ｃ）に示したように、模擬血管３０は腕側から手首側に向かって左に傾斜した配置角度であって、図５（ａ）の状態を基準とした傾斜角度が図５（ｂ）の場合よりも浅い角度でセットされることになる。模擬血管３０の各被係合部３１，３２を係合させる係合部２１ａ〜２１ｃ及び２２ａ〜２２ｃを任意に選択することにより、模擬血管３０の配置角度を種々の角度でセットできる。実際の腕の血管は、真っ直ぐに近いもの、若干斜めになっているもの等が存在するため、模擬血管３０の配置角度の調整により、より人体に近い状態とすることができる。また、係合部２１ａ〜２１ｃ及び２２ａ〜２２ｃが中間層２０の幅方向に複数設けられているため、模擬血管３０を複数本、例えば３本一緒に配置することも可能であるし（図７（ｃ）参照）、１本を真っ直ぐに配置し、他を斜めに配置することも可能である（図５（ｄ）参照）。これにより、さらに実際の腕の血管配置にイメージを近づけることができる。
【００２４】
なお、本実施形態では、係合部２１ａ〜２１ｃ及び２２ａ〜２２ｃを３つずつ設けているが、もちろんこれは一例であり、２つずつであってもよいし、４つずつ以上であってもよい。また、中間層２０の幅方向の適宜の位置に１つずつ設けた構成とすることも可能である。
【００２５】
模擬血管３０は、弾性チューブを用いて形成される。弾性チューブを用いることにより、注射針の刺入時の抵抗感やぶれが生じ、実際に近い感覚が得られる。素材としては、エチレン・プロピレン共重合体、ウレタンゴム、シリコーンゴム等の合成ゴム類、天然ゴム、あるいは、ポリウレタンフォーム等の軟質合成樹脂類などを用いることができるが、実際の血管刺入時にできるだけ近い感覚を得るためには、ウレタンゴムから形成することが好ましい。また、模擬血管３０の周壁の厚さは、好ましくは０．２〜２ｍｍの範囲、より好ましくは０．５〜１．５ｍｍの範囲である。模擬血管３０の直径は、実際に採血、静脈注射等の対象となる血管の太さに近いものであれば特に限定されるものではなく、例えば１〜３０ｍｍの範囲のもの、好ましくは２〜１０ｍｍの範囲のものが用いられる。また、図４（ａ）〜（ｃ）に示したように、太さの異なる模擬血管３０を複数準備しておき、適宜の太さのものを選択して使用するようにしてもよい。なお、図４（ａ）は直径３ｍｍタイプ、図４（ｂ）は直径５ｍｍタイプ、図４（ｃ）は直径７ｍｍタイプの模擬血管３０を例示したものである。太さの異なる各模擬血管３０は、取り付け時の便宜のため、各端部３０ａ，３０ｂ付近を異なる色で着色するなどの目印を付けておくことが好ましい。また、本実施形態のように、係合部２１ａ〜２１ｃ及び２２ａ〜２２ｃが中間層２０の幅方向に複数設けられている場合には、太さの異なる模擬血管３０を複数本配置するようにしてもよい。
【００２６】
模擬血管３０は、模擬血液を封入せずに用いてもよいが、模擬血液を封入することが好ましい。模擬血管３０は、上記のように弾性チューブからなるため、刺入時の抵抗感や動く感覚などが得られ、その点を練習する場合には、模擬血液を封入してないタイプでも可能である。しかし、静脈注射時の感覚により近づけたり、採血の練習用としたりする場合には、模擬血液を封入したものが用いられる。模擬血液は、水溶性で、生体血液に近い色、粘性を備えたものを用いることが好ましい。なお、模擬血管３０は上記のように弾性チューブからなるため、注射針を刺入しても、その素材の弾性によって針穴がほぼふさがり、模擬血液が漏れにくいという特徴もある。従って、模擬血液の注入は、注射針を模擬血管３０に刺して容易に行うことができ、模擬血管３０に必ずしも専用の模擬血液の充填孔を設ける必要がなく、また、何度も繰り返し使えるという利点がある。
【００２７】
模擬血管３０は、図６に示したような略長方形のカバー層４０により被覆される。模擬血管３０上に配置され、注射針は、カバー層４０を突き抜けて模擬血管３０に刺入される。従って、カバー層３０は、人体に刺入した際に血管に到達するまでの組織、主に皮膚組織に近い特性を有することが好ましい。そのため、カバー層４０は、エチレン・プロピレン共重合体、ウレタンゴム、シリコーンゴム等の合成ゴム類、天然ゴム、あるいは、ポリウレタンフォーム等の軟質合成樹脂類などを用いることが好ましいが、人体の皮膚に刺入した際の感覚に近い感覚を得られるものとして、厚さ０．５〜２ｍｍ程度のシリコーンゴムを用いることがより好ましい。
【００２８】
カバー層４０は、模擬血管３０を被覆した上で、中間層２０に接合される。接合手段は任意であるが、本実施形態では、図６（ａ）〜（ｃ）に示したように、長手方向の一端縁及び他端縁に、下端開口面がカバー層４０を突き抜けて下方に突出し、ヘッド部がカバー層４０の上面に支持される中空ピンからなる嵌合部材４１ａ〜４１ｃ及び４２ａ〜４２ｃを設け、これを用いて接合している。すなわち、嵌合部材４１ａ〜４１ｃ及び４２ａ〜４２ｃを、中間層２０から突出するピンからなる係合部２１ａ〜２１ｃ及び２２ａ〜２２ｃに嵌合して、両者を接合している（図６（ｄ），（ｅ）参照）。
【００２９】
カバー層４０は、模擬血管３０上に上記のように配置されるが、嵌合部材４１ａ〜４１ｃ及び４２ａ〜４２ｃと、係合部２１ａ〜２１ｃ及び２２ａ〜２２ｃとの嵌合度合い（嵌合深さ）を調整することにより、カバー層４０が模擬血管３０を押し付ける力を調整することができる。この押し付け力を調整することで、模擬血管３０の注射針刺入時の動き易さを調整することができる。
【００３０】
本実施形態の注射手技練習具１は次のように使用される。図７に基づいて説明する。まず、図７（ａ）に示したように、ベース層１０の突き抜け防止部１１の裏面を腕に押し当て、巻き付け部１２，１３を腕の周方向に回して、面ファスナー１２ａ，１３ａ同士を重ね合わせて接合する。次に、図７（ｂ）に示したように、ベース層１０の突き抜け防止部１１に中間層２０を、面ファスナー１１ｂ，２０ａを介して接合する。これにより、ピンからなる係合部２１ａ〜２１ｃ及び２２ａ〜２２ｃが表面側に突出した状態となる。次に、模擬血管３０を少なくとも１本配設する。例えば、図７（ｃ）に示したように、模擬血管３０の一端３０ａ側及び他端３０ｂ側にそれぞれ設けられた被係合部３１，３２を、各係合部２１ａ〜２１ｃ及び２２ａ〜２２ｃにそれぞれ係合し、３本配設する。次に、図７（ｄ）に示したように、カバー層４０を模擬血管３０上に位置させ、嵌合部材４１ａ〜４１ｃ及び４２ａ〜４２ｃを、係合部２１ａ〜２１ｃ及び２２ａ〜２２ｃに嵌合する。本実施形態の注射手技練習具１は、このように組立式であるため、模擬血管３０を配置する際に、練習に適した配置角度、配置数、配置する模擬血管３０の太さ等を選択することができ、練習者各個のレベルに見合った練習を実現できる。
【００３１】
練習の際は、皮膚組織の役割を果たすカバー層４０を介して模擬血管３０に注射針を刺入する。本実施形態では、カバー層４０が所定厚さのシリコーンゴムからなるため、人体の皮膚に注射針を刺入した際の感覚に近い感覚が得られ、さらに、模擬血管３０が弾性チューブからなるため、実際に近い抵抗感、血管がぶれる動き等を再現できる。しかも、上記のように、カバー層４０の押し付ける力を調整することができるため、模擬血管３０の配置角度、配置数、太さ等に合わせて、実際の動きに近いものに容易に調整することができる。
【００３２】
練習時において模擬血管３０を仮に突き抜けた場合、あるいは、カバー層４０を突き抜けた後、模擬血管３０に刺入しなかった場合には、注射針は中間層２０に突き刺さることになる。中間層２０も弾性素材からなるため、筋肉に突き刺した感覚に近い感覚が得られ、実際に血管を突き抜けた場合や血管外に突き刺した感覚を得ることができる。さらに、誤って中間層２０を突き抜けた場合、本実施形態では、突き抜け防止部１１がその下層に位置しているため、注射針はそこで止まり、注射手技練習具１を巻き付けている人の腕に損傷を与えることがない。従って、本実施形態によれば、人に注射手技練習具１を装着しての注射手技の練習を安心して行うことができ、臨場感のある練習が可能で、練習者の手技の上達、熟練に向けての高い貢献が期待できる。
【００３３】
本実施形態では、模擬血管３０に注射針を刺入することで、静脈注射、採血の練習に適しているが、模擬血管３０が配置されている部位以外の部位は、皮膚組織に相当するカバー層４０及び筋肉組織に相当する中間層２０との積層構造となっているため、その部位を利用して皮下注射、皮内注射、筋肉注射等の手技の練習に供することも可能である。
【００３４】
なお、上記の説明では、ベース層１０を人の腕に巻き付け、その後、中間層２０を積層し、さらに、模擬血管３０の配置、カバー層４０による被覆を行っているが、人の腕に装着する前に、ベース層１０の突き抜け防止部１１上に中間層２０、模擬血管３０及びカバー層４０を組み立てておき、すなわち、図１に示した状態に予めセットしておき、その後、人の腕に巻き付けるようにしてもよい。いずれにしても、本実施形態の注射手技練習具１は、ベース層１０、中間層２０、模擬血管３０及びカバー層４０がいずれも別部材からなり、相互に接合したり係合して一体化したりあるいは接合や係合を解除することで分解できる組立式であるため、例えば、ベース層１０を腕に装着したまま、カバー層４０を取り外して、模擬血管３０だけを練習内容、レベル等に適した配置角度、配置数、太さ等に変更することが可能である。従って、練習者の熟練度、練習の目的等に合わせた種々のバリエーションの練習に速やかに対応することができる。
【００３５】
本発明の注射手技練習具１は上記実施形態に限定されるものではなく、例えば、図８〜図９に示したようなベース層１００を用いることができる。このベース層１００は、伸縮性を有する生地から予め筒状に加工したものである。そして、円周方向の所定の範囲が、金属製薄板１１０ａを貼り付けてなる突き抜け防止部１１０となっており、円周方向のその他の範囲が腕等に巻き付けられる巻き付け部１２０となっている。突き抜け防止部１１０の長手方向の一端側及び他端側には、それぞれ接合手段としての例えば面ファスナー１１０ｂが取り付けられており、この面ファスナー１１０ｂを介して、上記と同様に、中間層（図示せず）が取り付けられ、さらに模擬血管（図示せず）がセットされる。
【００３６】
この筒状のベース層１００を用いると、開口端から腕を挿入するだけで装着可能であり、しかも、伸縮性のある生地を用いているため、腕等への密着性が高く、注射針の刺入時に動いたりすることがない。なお、図１及び図２に示したベース層１０も、伸縮性のある生地を用いることで、巻き付け時の腕等への密着性を高めることができることはもちろんである。
【００３７】
また、図６に示したカバー層４０は、中間層２０を被覆する程度の大きさしか有していないが、図１０に示したように、中間層の面積よりも幅の広いカバー層４００を用いることもできる。このカバー層４００は、中間層上に配置された模擬血管を被覆して、幅方向の各端部をベース層１０に接合して配置される。接合手段は任意であるが、例えば、カバー層４００の幅方向各端部の裏面側に面ファスナー４１０を取り付け、この面ファスナー４１０に係合する面ファスナー１２０ａをベース層１０の巻き付け部１２０に取り付けて接合する構成とすることができる。なお、符号４１１ａ〜４１１ｃ及び４１２ａ〜４１２ｃは、中間層から突出する係合部に係合する嵌合部材である。
【００３８】
図６に示したカバー層４０は、嵌合部材４１ａ〜４１ｃ及び４２ａ〜４２ｃを、係合部２１ａ〜２１ｃ及び２２ａ〜２２ｃに嵌合させることによって配置される構成であったが、図１０に示した態様では、嵌合部材４１１ａ〜４１１ｃ及び４１２ａ〜４１２ｃの係合部への嵌合だけでなく、面ファスナー４１０のベース層１００への接合によって一体化される。従って、注射針の刺入時にカバー層４０が動くことが抑制され、注射針の刺入を行いやすくなる。また、面ファスナー４１０，１２０ａを介して接合するため、カバー層４０を幅方向に引っ張りながら接合したりすることが可能であり、それによって、模擬血管の押し付け力を調整することもできる。なお、図１〜図６に示した実施形態においても、カバー層４０として、図１０と同様に、幅広のものを用い、ベース層１０に接合するようにすることも可能である。
【００３９】
また、図６に示した態様では、嵌合部材４１ａ〜４１ｃ及び４２ａ〜４２ｃとして中空ピンを用いているが、嵌合部材４１ａ〜４１ｃ及び４２ａ〜４２ｃと係合部２１ａ〜２１ｃ及び２２ａ〜２２ｃは、模擬血管３０を支持しつつ嵌合し合えばよいため、いずれが中空ピンで合っても構わないし、両者とも通常のピンを用いつつ、両者間に中空の筒部材を介在させて嵌合することも可能である。
【符号の説明】
【００４０】
１注射手技練習具
１０，１００  ベース層
１１，１１０  突き抜け防止部
１１ａ，１１０ａ  金属製薄板
１２，１３，１２０  巻き付け部
２０  中間層
２１ａ〜２１ｃ，２２ａ〜２２ｃ  係合部
３０  模擬血管
３１，３２  被係合部
４０，４００  カバー層
４１ａ〜４１ｃ，４２ａ〜４２ｃ  嵌合部材
【図１】
2015176073.tif 000003
【図２】
2015176073.tif 000004
【図３】
2015176073.tif 000005
【図４】
2015176073.tif 000006
【図５】
2015176073.tif 000007
【図６】
2015176073.tif 000008
【図７】
2015176073.tif 000009
【図８】
2015176073.tif 000010
【図９】
2015176073.tif 000011
【図１０】
2015176073.tif 000012